(57)【要約】【課題】複数部分に区画された貯留槽において、適切に通気を行うことの可能なサイフォン排水システムを提供する。【解決手段】貯留槽５０内には貯留空間５２が構成されている。貯留空間５２は、仕切部材５４によって３つの個別貯留部５２Ａ、５２Ｂ、５２Ｃに区画されている。貯留槽５０の上部には、通気管３０が接続されている。通気管３０は、個別貯留部５２Ａ、５２Ｂ、５２Ｃ、と各々連通された個別通気部３０Ａ、３０Ｂ、３０Ｃ、及び、個別通気部３０Ａ、３０Ｂ、３０Ｃが合流された１本の合流通気管３０Ｄ、を含んで構成されている。個別通気部３０Ａ、３０Ｂ、３０Ｃ、は、貯留槽５０の上部の個別貯留部５２Ａ、５２Ｂ、５２Ｃに対応する位置に各々連通口を有し、貯留槽５０の上側に配管されている。合流通気管３０Ｄは、一端側が合流部継手４０を介して排水立て管１２と連結されており、他端側が個別通気部３０Ａ、３０Ｂ、３０Ｃ、と連結されている。【選択図】  図３
2008184776.tif 000002
【特許請求の範囲】
【請求項１】
水廻り器具から排出された排水を貯留し、前記排水を貯留する貯留空間が仕切部材によって複数の個別貯留部に区画され、前記複数の個別貯留部が互いに連通された貯留槽と、
前記貯留槽に接続され、この貯留槽に貯留された排水を流出させるサイフォン排水管と、
前記貯留槽に接続され、前記複数の個別貯留部の少なくとも２つと連通された通気管と、
を備えたサイフォン排水システム。
【請求項２】
前記通気管は、前記複数の個別貯留部の各々と連通されていること、を特徴とする請求項１に記載のサイフォン排水システム。
【請求項３】
前記通気管は、前記貯留槽の上部で接続されていること、を特徴とする請求項１または請求項２に記載のサイフォン排水システム。
【請求項４】
前記通気管は、前記個別貯留部と接続された個別通気部及び各個別通気部が合流される合流通気管、を含んで構成されていること、を特徴とする請求項１乃至請求項３のいずれか１項に記載のサイフォン排水システム。
【請求項５】
前記通気管は、前記各個別貯留部を跨いで前記貯留部の上部に凸状に構成された上部通気路と、この通気路と連通する連通管、で構成されていること、を特徴とする請求項１乃至請求項３のいずれか１項に記載のサイフォン排水システム。
【発明の詳細な説明】
【技術分野】
【０００１】
本発明は、サイフォン排水システムに係り、特に、複数部分に区画された貯留槽を備えたサイフォン排水システムに関する。
【背景技術】
【０００２】
近年、従来の勾配排水システムに代わって、サイフォン排水システムが提案されている。サイフォン排水システムは、特許文献１に記載されるように、水廻り器具とサイフォン排水管とで構成されており、サイフォン排水管の垂下部をなす竪管にて発生するサイフォン力（負圧力）を利用して、水廻り器具からの排水効率を向上させるシステムである。
【０００３】
そして、更に、サイフォン排水システムにおいて、排水システム中に、水廻り器具からの排水を一時的に貯留する貯留槽を配置するサイフォン排水システムも提案されている。
【特許文献１】特開平６−４２０１９号公報
【発明の開示】
【発明が解決しようとする課題】
【０００４】
サイフォン排水システムでは、排水の開始からサイフォン始動までにタイムラグがあるため、排水量が多い場合、水廻り器具に排水が溢れるということが起こりうるが、このタイムラグ時の排水の溢れを、貯留槽への排水により解消する防止することができる。すなわち、貯留槽が満水になるまでは、水廻り器具からの排水を貯留槽に溜めることにより、水廻り器具からの排水を行わせることができる。このような貯留槽の機能を発揮させるためには、貯留槽内のエアの通気を行うことが必要となる。貯留槽内の通気が行われないと、水廻り器具から貯留槽へ排水が流入できず、水廻り器具から排水が溢れてしまうためである。そのため、貯留槽に通気管を設置することが行われる。
【０００５】
ところで、貯留槽を設けて、排水を一時的に貯留槽に溜める構成とした場合に、図７に示すように、流入及び流出経路に対応させて貯留槽Ｙを複数の区画に仕切る場合がある。この場合の各区画部分は、通常、上方で連通されていて、１つの区画部分における貯水が満水になると、他の区画部分に水が溢れ、貯留槽の容積を有効に利用できるように構成されている。このように、複数の区画部分を構成すると、各区画が満水になるまでは各区画に対応した水廻り器具からの排水は区画毎に行われる。したがって、区画が満水になるまでは貯留槽内で複数のサイフォン排水管へ排水が分散されるということがなく、各区画内で早期に水位が上昇し押し込み水頭がかかりやすい状態を作るためサイフォンの起動を早める効果がある。即ち、少ない排水量でもサイフォン排水を始動させることができるというメリットがある。
【０００６】
このような構成の貯留槽Ｙに前述の通気管Ａを設置する場合、図７のように、１つの区画部分に対応した箇所に接続すると、この区画部分が満水になると、通気管Ａの開口部が排水により閉鎖されて、通気ができなくなることがある。すなわち、他の区画部分は満水でないにもかかわらず、１の区画部分が満水になるだけで、通気管が機能しなくなるということが起こりうる。
【０００７】
本発明は、上記事実に鑑みてなされたものであり、複数部分に区画された貯留槽において、適切に通気を行うことの可能なサイフォン排水システムを提供することを目的とする。
【課題を解決するための手段】
【０００８】
本発明の請求項１に記載のサイフォン排水システムは、水廻り器具から排出された排水を貯留し、前記排水を貯留する貯留空間が仕切部材によって複数の個別貯留部に区画され、前記複数の個別貯留部が互いに連通された貯留槽と、前記貯留槽に接続され、この貯留槽に貯留された排水を流出させるサイフォン排水管と、前記貯留槽に接続され、前記複数の個別貯留部の少なくとも２つと連通された通気管と、を備えている。
【０００９】
本発明のサイフォン排水システムは、サイフォン排水管の上流側に貯留槽が設けられている。貯留槽には、水廻り器具からの排水が貯留される。貯留槽の内部には、排水を貯留する貯留空間が構成されており、この貯留空間は、仕切部材によって複数の個別貯留部に区画されている。
【００１０】
上記構成の貯留槽に排水が流入すると、まず、排水が直接流入する個別貯留部に排水が貯留される。この個別貯留部が満水になると、この個別貯留部から他の個別貯留部に排水が流入する。このとき、満水となった個別貯留部における通気管との連通部分は、排水により閉鎖される。このような場合でも、本発明では、通気管は他の個別貯留部と連通されており、満水でない他の個別貯留部と通気管との連通部分は排水により閉鎖されていない。したがって、貯留槽の通気を適切に行うことができる。
【００１１】
請求項２に記載のサイフォン排水システムは、前記通気管が、前記複数の個別貯留部の各々と連通されていること、を特徴とする。
【００１２】
このように、通気管をすべての個別貯留部と連通させることにより、貯留槽の全体を利用して適切に通気を行いつつサイフォン排水を行うことができる。
【００１３】
請求項３に記載のサイフォン排水システムは、前記通気管が、前記貯留槽の上部で接続されていること、を特徴とする。
【００１４】
このように、通気管を貯留槽の上部で接続させることにより、通気管と個別貯留部との連通を簡易な構成で個別貯留部が満水になるまでの間、適切に行うことができる。
【００１５】
請求項４に記載のサイフォン排水システムは、前記通気管が、前記個別貯留部と接続された個別通気部及び各個別通気部が合流される合流通気管、を含んで構成されていること、を特徴とする。
【００１６】
上記構成によれば、個別貯留部との連通を複数の個別通気部で行うと共に、この個別通気部の大気への開放を、１本の合流通気管で行うことができる。
【００１７】
請求項５に記載のサイフォン排水システムは、前記通気管が、前記各個別貯留部を跨いで前記貯留部の上部に凸状に構成された上部通気路と、この通気路と連通する連通管、で構成されていること、を特徴とする。
【００１８】
上記構成によれば、簡易な構成で、個別貯留部ごとの通気を行うことができる。
【発明の効果】
【００１９】
本発明は上記のように通気管を各個別貯留部と連通させたので、貯留槽の通気を適切におこなうことができる。
【発明を実施するための最良の形態】
【００２０】
以下に、本発明に係る実施形態を図面に基づき説明する。
【００２１】
まず、本実施形態に係るサイフォン排水システムの全体構成を説明する。図１には、本実施形態に係るサイフォン排水システムの全体構成が概略図にて示されている。
【００２２】
本実施形態に係るサイフォン排水システム１０は、サイフォン力を利用して水廻り器具からの排水を効率よく排出する排水システムである。
【００２３】
本実施形態のサイフォン排水システム１０は、主に複数階で構成された集合住宅などに用いられる。図１に示すように、サイフォン排水システム１０は、排水を下方へ流す排水立て管１２を備えている。この排水立て管１２は、集合住宅の上下方向（縦方向）に延設され、集合住宅の各階の床スラブ１４を貫いている。
【００２４】
集合住宅の各階の各戸には、複数の水回り器具１６が設けられており、この水回り器具１６には、水回り器具１６から排出される排水を流す排水導入管１８の一端がそれぞれ接続されている。排水導入管１８の他端は、貯留槽５０と接続されている。排水導入管１８は、貯留槽５０側が低くなるように勾配をもって配設されている。
【００２５】
貯留槽５０は、水廻り器具１６からの排水を一時貯留するためのものである。貯留槽５０の内部には、図２（Ａ）に示すように、貯留空間５２が構成されている。貯留空間５２は、仕切部材５４によって３つの個別貯留部５２Ａ、５２Ｂ、５２Ｃに区画されている。図２（Ｂ）にも示すように、仕切部材５４は、上方で個別貯留部５２Ａ、５２Ｂ、５２Ｃが互いに連通するように、貯留空間５２の最上部よりも若干低い位置までの配置とされている。前述した水廻り器具１６からの複数の排水導入管１８は、個別貯留部５２Ａ、５２Ｂ、５２Ｃ、へ各々連結されている。
【００２６】
貯留槽５０の個別貯留部５２Ａ、５２Ｂ、５２Ｃには、各々にサイフォン排水管２２Ａ、２２Ｂ、２２Ｃが接続されている（これらをまとめて「サイフォン排水管２２」という）。サイフォン排水管２２は、図１に示すように、床スラブ１４に沿って配設される横引き管２４と、この横引き管２４と連通する竪管２６とを備えて構成されている。横引き管２４は、貯留槽５０と連通され、床スラブ１４上で水平方向に無勾配で配設されている。横引き管２４と連通する竪管２６は、排水立て管１２に沿って、上下方向（鉛直方向）に配設されている。この竪管２６は、合流部継手４０を介して排水立て管１２と連結されている。合流部継手４０は、竪管２６からの排水を排水立て管１２へ合流させる。
【００２７】
横引き管２４及び竪管２６は、１本の排水管で構成され、合流部継手４０までは他の排水管と途中で合流することなく、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００２８】
貯留槽５０には、さらに、通気管３０が接続されている。図３にも示すように、通気管３０は、個別貯留部５２Ａ、５２Ｂ、５２Ｃ、と各々連通された個別通気部３０Ａ、３０Ｂ、３０Ｃ、及び、個別通気部３０Ａ、３０Ｂ、３０Ｃが合流された１本の合流通気管３０Ｄ、を含んで構成されている。個別通気部３０Ａ、３０Ｂ、３０Ｃ、は、貯留槽５０の上部の個別貯留部５２Ａ、５２Ｂ、５２Ｃに対応する位置に各々連通口を有し、貯留槽５０の上側に配管されている。合流通気管３０Ｄは、一端側が合流部継手４０を介して排水立て管１２と連結されており、他端側が個別通気部３０Ａ、３０Ｂ、３０Ｃ、と連結されている。
【００２９】
次に、本実施形態のサイフォン排水システム１０での排水について説明する。
【００３０】
水廻り器具１６からの排水は、排水導入管１８を経て貯留槽５０へ流入する。排水導入管１８からの排水は、まず、排水導入管１８の接続された貯留空間５２（個別貯留部５２Ａ〜５２Ｃ）へ流入する。ここでは、個別貯留部５２Ｂと接続された水廻り器具１６からの排水を例について説明する。
【００３１】
個別貯留部５２Ｂに流入した排水は、個別貯留部５２Ｂに接続されたサイフォン排水管２２Ｂから排出される。排水導入管１８からの流入量が、サイフォン排水管２２Ｂでの排水量を上回ると、個別貯留部５２Ｂの貯留水位が上がる。図４（Ａ）に示すように、貯留水位が仕切部材５４の上端を超えると、排水は個別貯留部５２Ｂから溢れて、個別貯留部５２Ａ、５２Ｃへ流入する。このとき、個別貯留部５２Ｂに接続された個別通気部３０Ｂは、貯留された排水により閉鎖され、個別通気部３０Ｂでの通気が不能となる。
【００３２】
一方、個別貯留部５２Ａ、５２Ｃについては、流入した排水がサイフォン排水管２２Ａ、２２Ｃから排出される。これにより、サイフォン排水管２２Ｂのみで排出していた時と比較して、貯留槽５０における全体の排水処理量が増加し、適切に排水を行うことができる。このとき、個別貯留部５２Ａ、５２Ｃにおける排水の貯留水位は、個別貯留部５２Ｂと比べて低く、個別通気部３０Ａ、３０Ｃは閉鎖されていないため、適切に通気を行うことができる。
【００３３】
なお、個別貯留部５２Ａ、５２Ｂの双方に、水廻り器具１６からの排水が流入された場合には、図４（Ｂ）に示すように、個別貯留部５２Ａ、５２Ｂが満水になることが想定される。この場合でも、満水となっていない個別貯留部５２Ｃに対応した個別通気部３０Ｃは閉鎖されていないため、図４（Ｃ）に示すように、個別貯留部５２Ａ〜５２Ｃのすべてが満水になるまでは、適切に通気を行うことができる。
【００３４】
以上説明したように、本実施形態によれば、個別貯留部５２Ａ〜５２Ｃの各々に通気管３０（個別通気部３０Ａ〜３０Ｃ）が接続されているので、貯留槽５０の容量を有効に利用しつつ適切に通気を行うことができる。
【００３５】
なお、本実施形態では、個別貯留部５２Ａ〜５２Ｃの各々に、通気管３０の個別通気部３０Ａ〜３０Ｃを接続した構成について説明したが、本発明の通気管は、個別貯留部５２Ａ〜５２Ｃの各々と連通されていればよく、他の構成とすることもできる。
【００３６】
例えば、図５及び図６に示すように、個別貯留部５２Ａ〜５２Ｃを跨ぐように、貯留槽５０の上面に凸状の通気部３１を形成し、通気部３１内の通気路３１Ａを、個別貯留部５２Ａ〜５２Ｃと連通させる構成としてもよい。この場合には、個別貯留部５２Ａ〜５２Ｃにおける排水の貯留水位が仕切部材５４を超えた場合でも、通気路３１Ａは閉鎖されることがなく、適切に通気を確保することができる。
【００３７】
また、本実施形態に係るサイフォン排水システム１０は、水回り器具からの排水を効率よく排出するものとして説明したが、雨水など水回り器具１６以外からの排水を効率よく排出するために用いられるものや、工場における冷却水などに用いられるサイフォン排水システムに適用することもできる。
【図面の簡単な説明】
【００３８】
【図１】本実施形態に係るサイフォン排水システムの全体構成を示す概略図である。
【図２】本実施形態に係る貯留槽の、（Ａ）は内部を示す斜視図であり、（Ｂ）は断面図である。
【図３】本実施形態に係る貯留槽と通気管の接続を示す斜視図である。
【図４】本実施形態に係るサイフォン排水システムの合流部継手付近の構造の他の変形例を示す図である。
【図５】本実施形態に係る貯留槽と通気管の変形例を示す斜視図である。
【図６】（Ａ）は図５に示すＡ−Ａの断面図であり、（Ｂ）は図に示すＢ−Ｂの断面図である。
【図７】貯留槽の貯留空間の一部に通気管が連通されている例を示す図である。
【符号の説明】
【００３９】
１０  サイフォン排水システム
２２  サイフォン排水管
３０Ａ  個別通気部
３０Ｂ  個別通気部
３０Ｃ  個別通気部
３０Ｄ  合流通気管
３０  通気管
３１  通気部
３１Ａ  通気路
５０  貯留槽
５２Ａ  個別貯留部
５２Ｂ  個別貯留部
５２Ｃ  個別貯留部
５２  貯留空間
５４  仕切部材
【図１】
2008184776.tif 000003
【図２】
2008184776.tif 000004
【図３】
2008184776.tif 000005
【図４】
2008184776.tif 000006
【図５】
2008184776.tif 000007
【図６】
2008184776.tif 000008
【図７】
2008184776.tif 000009